(57)【要約】【課題】親機と、その親機と対をなす無線子機とを有する電話装置において、親機に自分と対をなす子機以外の子機が載置されたときに、親機の操作により自分と対をなす子機の通話が妨害される事態を防止する。【解決手段】親機30-1と対をなす子機50-1は親機30-1から持ち上げられ（操作Ｓ１）、通話に使用されている。親機30-2と対をなす子機50-2が誤って親機30-1に載置される（操作Ｓ２）。この状態で親機30-1で外線保留操作等の局線に関する操作を行った（操作Ｓ３）場合、主装置により操作は無効とされる。【選択図】  図５
2005286375.tif 000002
【特許請求の範囲】
【請求項１】
互いに対をなす親機及び無線子機を有し、前記親機が前記無線子機を載置可能な電話装置において、前記親機は、前記無線子機の載置の有無を検出する子機載置検出手段と、載置されている無線子機が自分と対をなす無線子機か否かに応じて前記親機の操作の有効性を決定する制御手段とを備えたことを特徴とする電話装置。
【請求項２】
前記制御手段は、載置されている無線子機が自分と対をなす無線子機でないときは前記親機の操作を無効にすることを特徴とする請求項１記載の電話装置。
【請求項３】
前記親機の操作は局線に関する操作であることを特徴とする請求項２記載の電話装置。
【請求項４】
前記制御手段は、自分と対をなす無線子機以外の無線子機が載置された後にその無線子機が載置されていない状態になったときは、一定時間経過後に前記親機の操作を有効にすることを特徴とする請求項１記載の電話装置。
【請求項５】
前記親機及び無線子機はボタン電話装置の主装置に収容されるボタン電話機であることを特徴とする請求項１記載の電話装置。
【発明の詳細な説明】
【技術分野】
【０００１】
本発明は、親機と、親機に載せることが可能な無線子機とを備えた電話装置に関し、特に親機に他の親機の子機が載せられているときの誤操作の防止が可能なボタン電話装置に関する。
【背景技術】
【０００２】
外線に接続された主装置と、主装置に収容された複数のボタン電話機とからなるボタン電話装置において、ボタン電話機を親機と無線子機（以下、子機ともいう）とで構成したコードレスボタン電話機がある（特許文献１参照）。このコードレスボタン電話機では、子機は使用していない時は親機に載置するように構成されている。
【０００３】
このような、親機と無線子機とからなる電話装置では、親機と子機の内、外線を捕捉する操作を行った方においてのみ、ダイヤル発信、回線保留操作等のような局線に関するキー操作を有効に行えるように構成されている。しかし、この場合、例えば子機を持った使用者が親機の近くにいて、親機のキー操作が可能であるにもかかわらず、子機を用いて外線捕捉を行った場合、親機に比べて使い勝手が劣る子機のキーを操作せざるを得ないため、操作性が悪かった。そこで、前述した操作性の問題を解決するため、子機で外線捕捉した場合であっても、親機と子機との間の距離が所定距離以内の場合には、親機によるダイヤル発信を可能にしたコードレス電話機が提案されている（特許文献２参照）。
【特許文献１】特開平５−２９２００５公報
【特許文献２】特開平５−３２７８３３公報
【発明の開示】
【発明が解決しようとする課題】
【０００４】
しかしながら、前述したコードレス電話機では、親機と子機との距離に基づいて、親機のキー操作の有効及び無効を判定するため、複数の親機が設置されている環境において、親機と対をなす正しい子機で通話が行われている時に、誤って他の子機が載せられた場合、正しい子機が載っていると勘違いした人が親機を操作すると、正しい子機の通話が保留されたり、親機のスピーカ受話状態になってしまう問題点があった。
【０００５】
本発明はこのような問題点を解決するためになされたもので、互いに対をなす親機及び無線子機を有し、前記親機が前記無線子機を載置可能な電話装置において、前記親機に自分と対をなす子機以外の子機が載置されたときに、親機の操作により自分と対をなす子機の通話が妨害される事態を防止することを目的とする。
【課題を解決するための手段】
【０００６】
請求項１に係る発明は、互いに対をなす親機及び無線子機を有し、前記親機が前記無線子機を載置可能な電話装置において、前記親機は、前記無線子機の載置の有無を検出する子機載置検出手段と、載置されている無線子機が自分と対をなす無線子機か否かに応じて前記親機の操作の有効性を決定する制御手段とを備えたことを特徴とする電話装置である。
請求項２に係る発明は、請求項１記載の電話装置において、前記制御手段は、載置されている無線子機が自分と対をなす無線子機でないときは前記親機の操作を無効にすることを特徴とする電話装置である。
請求項３に係る発明は、請求項２記載の電話装置において、前記親機の操作は局線に関する操作であることを特徴とする電話装置である。
請求項４に係る発明は、請求項２記載の電話装置において、前記制御手段は、自分と対をなす無線子機以外の無線子機が載置された後にその無線子機が載置されていない状態になったときは、一定時間経過後に前記親機の操作を有効にすることを特徴とする電話装置である。
請求項５に係る発明は、請求項１記載の電話装置において、前記親機及び無線子機はボタン電話装置の主装置に収容されるボタン電話機であることを特徴とする電話装置である。
【発明の効果】
【０００７】
本発明によれば、親機に載置されている子機が自分と対をなす子機でない場合には、自分と対をなす子機の通話が親機の操作により妨害される事態を回避することができる。
【発明を実施するための最良の形態】
【０００８】
以下、図面を参照しながら本発明の実施形態について説明する。
図１は本発明をボタン電話装置に適用した実施形態を示すブロック図である。
【０００９】
このボタン電話装置は、１本以上の電話回線（局線）４に接続された主装置１と、内線伝送路２を介して主装置１に接続されたＮ個（Ｎ≧２）のボタン電話機3-1 〜3-N とから構成されている。ボタン電話機3-1 〜3-N は、それぞれ親機30-1〜30-Nと、無線子機50-1〜50-Nとから構成されている。ボタン電話機3-1 の親機30-1と無線子機50-1とは対をなしており、互いの親機−子機間通信が可能となるように予め設定されている。同様に、ボタン電話機3-2 ・・・3-N の親機と子機との間も対をなしており、互いの親機−子機間通信が可能となるように予め設定されている。これらの親機−子機間通信は、予め設定された対をなす親機と子機との間のみ可能であり、他の親機又は子機と通信することは出来ない。すなわち、例えばボタン電話機3-1 の親機30-1は子機50-1とだけ通信可能であり、他の子機とは通信不可能である。また、子機50-1は親機30-1とだけ通信可能であり、他の親機とは通信不可能である。他のボタン電話機3-2 〜3-N についても同様である。このような排他的な親機−子機間通信は、例えば親機及び子機が親機−子機関係を登録するときに、対をなす親機と子機であることを識別するためのＩＤをそれぞれのメモリに書き込み、通信時にそのＩＤを認証することで実現する。
【００１０】
主装置１は、電話回線４及びボタン電話機3-1 〜3-N の状態を管理し、この主装置１全体の制御等を行う制御部11と、電話回線４を終端制御する外線インターフェース部12と、内線伝送路２を介してボタン電話機3-1 〜3-N を収容する内線インターフェース部13と、外線インターフェース部12と内線インターフェース部13とを交換接続する交換処理部14と、制御部11での制御に必要な各種制御情報、外線情報及び内線情報を関連付けて記憶する記憶部15とを備えている。
【００１１】
図２及び図３は、それぞれ図１における親機及び子機の構成を示すブロック図である。図１において、各親機30-1〜30-Nは同じ構成を持ち、各子機50-1〜50-Nも同じ構成を持つので、以下、区別する必要がある場合を除き、親機30、子機50とする。
【００１２】
図２に示すように、親機30は、この親機30全体の制御等を行う親機制御部31と、それぞれが親機制御部31に接続された内線インターフェース部32、無線インターフェース部33、音声処理部34、表示部35、操作部36、記憶部37、給電部38及び載置検出部39を備えている。音声処理部34の出力側にはアンプ部40が接続され、その出力側にはスピーカ41が接続されている。また、給電部38の出力側には、子機50に電力を供給するための端子42が設けられている。
【００１３】
内線インターフェース部32は、内線伝送路２を介して主装置１と通信を行い、無線インターフェース部33は無線回線を介して子機50と通信を行う。音声処理部34は、呼出音や各種報知音の発生、親機30で子機50を使用せずに通話を行う所謂スピーカホン機能の実現のための処理等を行う。表示部35はＬＣＤ等を有し、親機制御部31から送られる各種情報を表示する。操作部36は、ダイヤルキー、外線キー、フックスイッチ等の各種キーを備え、操作者がこれらのキーを用いて入力した情報を親機制御部31へ送る。記憶部37は、親機制御部31が各種処理を実行するときに使用するプログラム等が予め格納されているＲＯＭ、親機制御部31が各種処理を実行するときに各種データ等を一時的に記憶するＲＡＭ、親機のＩＤ等を記憶するＥＥＰＲＯＭ等からなる。給電部38は、子機50が親機30に載置されているときに端子42を介して子機50に電力を供給する。載置検出部39は子機50が載置されているか否かを検出し、検出信号を親機制御部31へ送る。
【００１４】
図３に示すように、無線子機50は、この子機50全体の制御等を行う無線子機制御部51と、それぞれが無線子機制御部51に接続された無線インターフェース部52、音声処理部53、状態検出部56、記憶部57、表示部58及び操作部59を備えている。また、各部に電力を供給する電池54、及び親機30から端子60を介して供給される電力により電池54を充電する充電部55を備えている。状態検出部56は、例えば機械的なフックスイッチ、光電スイッチ等を用いてもよいし、親機の端子42から端子60へ印加される電圧に基づいて検出する構成にしてもよい。
【００１５】
無線インターフェース部52は無線回線を介して親機30と通信を行う。音声処理部53は、図示されていないスピーカやマイクを用いた音声通話機能、各種報知音等の生成機能を有する。状態検出部56は、無線子機50が親機30に載置されているか否かによりオンフック／オフフック状態を検出する。記憶部57、表示部58、操作部59は、それぞれ親機30の記憶部37、表示部35、操作部36と同様に構成されている。
【００１６】
次に、以上の構成を有する電話装置において、子機の使用中に、親機と対をなす子機以外の子機が親機に載置された場合の動作について、図４乃至図６を参照しながら説明する。
【００１７】
〔実施例１〕
この実施例は、図４に示すように、ある人が親機30-1と対をなす子機50-1を用いて通話を行っている時に他の人が誤って親機30-2と対をなす子機50-2を親機30-1に載置してしまったときの動作に関するものである。この動作について図５のシーケンス図を参照しながら説明する。
【００１８】
最初は子機50-1は親機30-1に載置されている。この状態では、親機30-1の載置検出部39は子機が載置されていることを検出しており、その検出信号が親機制御部31へ送られ、親機制御部31はその検出信号を受けて、給電部38から端子42と子機50-1の端子60とを通して充電部55に電力を供給するように制御している。
【００１９】
子機50-1の使用者は親機30-1の載置部から子機50-1を取り上げると（操作Ｓ１）、親機30-1の載置検出部39には検出信号がなくなるので、親機制御部31は、給電部38による子機50-1への給電を停止する。子機50-1の無線子機制御部51では、状態検出部56からの出力に基づき、任意の親機から取り上げられたことを検出すると、無線インターフェース部52から無線回線を介して親機30-1の無線インターフェース部33と通信を行い、取り上げられたことの検出をオフフックと判断し、親機30-1へオフフック通知を送信する。親機30-1では、子機50-1からのオフフック通知を受信すると、親機制御部31は内線インターフェース部32から内線伝送路２経由で主装置１の内線インターフェース部13へオフフック通知を送信する。
【００２０】
次に、子機50-1の使用者が操作部59を用いてダイヤル操作（操作Ｓ２）を行うと、ダイヤル信号が無線回線経由で親機30-1へ送られ、さらに親機30-1から内線インターフェース32及び内線伝送路２を経由して主装置１へ送られ、主装置１から電話回線４へダイヤル発信される。発信先の相手から応答があると、応答通知が主装置１及び親機30-1を経由して子機50-1へ送られ、子機50-1と発信先との間で通話が可能になる。
【００２１】
次に、子機50-1の使用者が通話を継続したまま親機30-1から離れているときに、別の親機30-2と対をなす子機50-2を使用して通話を行っていた人が通話を終え、子機50-2を誤って親機30-2ではなく親機30-1に載置したとする（操作Ｓ３）。
【００２２】
親機30-1では、子機50-2が載置されると、載置検出部39が検出信号を発生し、親機制御部31へ通知する。親機制御部31は、載置検出部39の検出信号により任意の無線子機が載置されたことを検出し、給電部38による無線子機への給電を開始するとともに、主装置１に対して、内線インターフェース部32及び内線２を経由して給電開始通知を送信する。主装置１では、給電開始通知を受けると制御部11が図示されていないタイマをスタートさせる。
【００２３】
子機50-2の無線子機制御部51では、状態検出部56からの出力信号に基づいて、任意の親機に載置されたことを検出すると、その親機から供給される電力によって充電部55が電池54の充電を開始するように充電部55を制御するとともに、無線インターフェース部52から無線回線を介して、無線子機50-2と対をなしている親機30-2の無線インターフェース部33と通信を行い、載置されたことの検出をオンフックとみなして、親機30-2へ通知する。親機30-2の親機制御部31は、この通知を受け取ると、内線インターフェース部32及び内線２を経由して主装置１へそのオンフック通知を送信する。
【００２４】
主装置１では、親機30-1から給電開始通知の受信によりタイマをスタートさせてから所定時間内に受信したオンフック通知を基に、親機30-1に載置された任意の無線子機を特定する。ここでは、親機30-2からオンフック通知を受信しているので、制御部11は、親機30-1に載置された子機は無線子機50-2であることを特定し、誤載置を検出したことを記憶部15に記憶する。
【００２５】
次いで親機30-1にそれと対をなしていない子機50-2が載置されているとは知らない使用者が、子機50-2を親機30-1に載せたままの状態で操作部36の保留キーを操作したとする（操作Ｓ４）。親機30-1の親機制御部31は、この保留キー操作を内線インターフェース部32及び内線２を経由して主装置１へ通知する。主装置１は、親機30-1に子機50-2が誤載置されていることを検出しているので、親機30-1から保留キー操作の通知を受信しても、それを無効とし、交換処理部14による保留操作は行わない。このとき、子機が誤載置されていることを使用者に知らせるためのメッセージを親機30-1のスピーカ41から音声として出力し、また表示部35で画像として表示してもよい。
【００２６】
次に、使用者が子機50-2を親機30-1から取り上げたとする（操作Ｓ５）。親機30-1では、子機50-2が取り上げられると、載置検出部39の検出信号がなくなるので、親機制御部31は、給電部38による無線子機への給電を停止する。一方、子機50-1の無線子機制御部51では、状態検出部56からの出力に基づき、任意の親機から取り上げられたことを検出すると、無線インターフェース部53から無線回線経由で親機30-2の無線インターフェース部33と通信を行い、取り上げられたことの検出をオフフックと判断し、親機30-2へオフフック通知を送信する。親機30-2はオフフック通知を受信すると、それを内線インターフェース部32及び内線２を経由して主装置１へ送信する。主装置１では、親機30-2からオフフック通知を受けると、子機50-2が取り上げられたと判断し、記憶部15に記憶されていた誤載置検出情報を削除する。これ以後は親機30-1から送られてくる局線に関するキー操作を有効にする。
【００２７】
次に、子機50-1を用いて通話を行っていた使用者が通話を終了し、操作部59の切断キーを押した後に子機50-1を親機30-1に載置する。この切断キー操作は、無線子機制御部51により検出され、通話終了通知が無線インターフェース部52から無線接続により親機30に通知され、親機30から内線インターフェース部32及び内線２を経由して主装置１に通知される。主装置１の制御部11は、内線インターフェース部13から通話終了通知を受け取ると、外線インターフェース部12及び交換処理部14を制御して回線の切断を行う。また、親機30-1では、子機50-1が載置されると、載置検出部39が検出信号を発生し、親機制御部31へ通知する。親機制御部31は、載置検出部39の検出信号により任意の無線子機が載置されたことを検出し、給電部38による無線子機への給電を開始するとともに、主装置１に対して、内線インターフェース部32及び内線２を介して給電開始通知を送信する。主装置１は、前述した親機30-1に子機50-2が載置されたときと同じ手順により、親機30-1に載置された子機が親機30-1と対をなす子機50-1であることを検出する。
【００２８】
〔実施例２〕
この実施例は、ある人が親機30-1と対をなす子機50-1を用いて通話を行っている時に他の人が誤って親機30-2と対をなす子機50-2を親機30-1に載置してしまった後、しばらくしてから子機50-2を親機30-1から取り上げたときの動作に関するものである。この動作について図６のシーケンス図を参照しながら説明する。
【００２９】
図６の最上部の状態は、ある人が親機30-1と対をなす子機50-1を用いて通話を行っている時に他の人が誤って親機30-2と対をなす子機50-2を親機30-1に載置してしまい、主装置１により誤載置が検出されている状態である。
【００３０】
この状態から、親機30-1にそれと対をなしていない子機50-2が載置されていることを知らない使用者が、子機50-2を親機30-1に載せたままの状態で操作部36のダイヤルキーを操作し（操作Ｓ11）、直ぐに子機50-2を取り上げた（操作Ｓ12）とする。このとき、親機30-1に載置されているのが子機50-1であれば、子機50-2を取り上げことでオフフックが検出され、主装置１の外線インターフェース部12により電話回線４へダイヤル発信が行われる。しかし、主装置１は、親機30-1に子機50-2が誤載置されていることを検出しているので、図５の操作Ｓ３の場合と同様、親機30-1からダイヤルキー操作の通知を受信しても、それを無効とし、電話回線４へのダイヤル発信は行わない。
【００３１】
操作Ｓ12が行われた結果、載置検出部39の検出信号がなくなるので、親機制御部31は、給電部38による無線子機への給電を停止する。一方、子機50-1の無線子機制御部51では、状態検出部56からの出力に基づき、任意の親機から取り上げられたことを検出すると、無線インターフェース部53から無線回線経由で親機30-2の無線インターフェース部33と通信を行い、取り上げられたことの検出をオフフックと判断し、親機30-2へオフフック通知を送信する。親機30-2はオフフック通知を受信すると、それを内線インターフェース部32及び内線２を経由して主装置１へ送信する。
【００３２】
主装置１の制御部11は、親機30-2からオフフック通知を受信したときにタイマをスタートさせ、所定時間後タイムアップになると親機30-1のキー操作を無効とする状態を解除するので、親機30-1の操作を無効とする期間が終了する。従って、子機50-2を取り上げた使用者がタイムアップ以前に親機30-1の操作部36から外線捕捉操作（操作Ｓ13）を行っても無効となる。子機50-2を取り上げた使用者は、外線捕捉操作が出来ないことから、自分が持っている子機が親機30-1と対をなす子機でないことに気づくことになる。
【００３３】
タイマのタイムアップにより、親機30-1は子機50-1が取り上げられて使用されている通常の状態に戻るので、子機50-1の使用者が親機30-1の設置場所に戻り、親機30-1で外線保留操作（操作Ｓ14）を行うと、主装置１の外線インターフェース部12により、子機50-1で通話中の電話回線４の保留操作が行われる。
【００３４】
このように、本発明の実施形態によれば、親機30-1と対をなす子機50-1を用いて通話を行っている時に他の人が誤って親機30-2と対をなす子機50-2を親機30-1に載置してしまったときは、親機30-1の操作による局線操作を無効とするので、子機50-1の通話が妨害されることはなくなる。
【００３５】
なお、本発明は例えば下記（１）〜（４）のような変形が可能である。
（１）図６におけるタイマの設定を主装置１の制御部11が行う代わりに、親機30-1の親機制御部31が行うようにする。
（２）オフフック通知及びオンフック通知を子機から親機へ送り、さらに親機から主装置へ送る手順に代えて、オフフック通知及びオンフック通知を親機から主装置に送る手順のみとする。また、それら二つの手順を用いる。
【００３６】
（３）親機に載置されている子機が親機と対をなす子機であるか否かの判定を以下の手順で行う。
この手順の前提として、親機30の記憶部37には自分と対をなす子機50のＩＤが予め登録されており、子機50の記憶部57には子機ＩＤが記憶されているものとする。
まず、親機30の親機制御部31は、載置検出部39の検出信号から、任意の子機が載置されたことを検出すると、無線インターフェース部33を制御して、無線回線を介して子機50に対して記憶部57に記憶されている子機ＩＤの送信を要求する。子機50は親機30の要求に従って、記憶部57に記憶されている子機ＩＤを無線インターフェース部52から無線回線を介して親機30に対して送信する。親機30は、受信した子機ＩＤと予め自分と対をなす子機として登録されている子機ＩＤとを比較し、一致した場合は自分と対をなす子機が載置されており、不一致の場合は自分と対をなす子機以外の子機が載置されていると判断する。
【００３７】
なお、この手順において、親機と子機との間で送受する電波は、周辺に配置されている他の親機及び子機が受信不可能な小レベルにするか、又は対をなす親機と子機との間で固有の暗号等を予め設定しておき、その暗号等を用いてエンコードした信号を送受信するように構成することが必要である。
（４）一般家庭用のコードレス電話機に適用する。
【図面の簡単な説明】
【００３８】
【図１】本発明の実施形態を示すブロック図である。
【図２】図１における親機の構成を示すブロック図である。
【図３】図１における子機の構成を示すブロック図である。
【図４】親機と対をなす子機以外の子機が親機に誤載置されている様子を示す図である。
【図５】親機と対をなす子機以外の子機を誤載置し、親機を操作した場合の動作の一例を示すシーケンス図である。
【図６】親機と対をなす子機以外の子機を誤載置し、親機を操作した場合の動作の他の一例を示すシーケンス図である。
【符号の説明】
【００３９】
１・・・主装置、２・・・内線、3-1 〜3-N ・・・ボタン電話機、30・・・親機、50・・・無線子機。
【図１】
2005286375.tif 000003
【図２】
2005286375.tif 000004
【図３】
2005286375.tif 000005
【図４】
2005286375.tif 000006
【図５】
2005286375.tif 000007
【図６】
2005286375.tif 000008